(57)【要約】  【課題】真空断熱材のみで断熱壁の厚みを小さくし、真空断熱材の表面が破損した場合にも断熱性能を維持することができる自動販売機を提供するものである。  【解決手段】断熱筐体２、仕切り板３、内扉４の少なくとも一つを全体で複数個の真空断熱材のみで形成することによって、断熱性能の向上ができ、万一、真空断熱材が破損した場合でも残りの複数の真空断熱材によって断熱性能を維持することができ、省エネルギータイプの自動販売機を提供することができるものである。【選択図】図２
2006268220.tif 000002
【特許請求の範囲】
【請求項１】
断熱筐体、内扉、仕切り板の少なくとも一つを全体で複数個の真空断熱材のみで形成したことを特徴とした自動販売機。
【請求項２】
真空断熱材に取り付ける部品の取り付けをするための取り付け部材とで構成したことを特徴とした請求項１に記載の自動販売機。
【請求項３】
真空断熱材に取り付ける部品の取り付けをするための第一の断熱材と組み合わせたことを特徴とした請求項１に記載の自動販売機。
【請求項４】
真空断熱材の表面を断熱性の高い第二の断熱材で覆うことを特徴とした請求項１に記載の自動販売機。
【発明の詳細な説明】
【技術分野】
【０００１】
本発明は、商品収納装置に収納された商品を冷却または加温して商品を販売するようにした自動販売機に関し、特に庫内を保冷、加温するための断熱構造に関するものである。
【背景技術】
【０００２】
従来、この種の自動販売機の断熱構造としてはキャビネット、内扉、仕切り板に対し、硬質プラスチックの断熱心材に真空断熱材を採用しているものがあった（特許文献１参照）。
【０００３】
図６は前記文献に記載された従来の自動販売機の断熱構造の分解斜視図を示すものである。図６において、自動販売機の断熱構造は、キャビネット１、断熱筐体２、仕切り板３、内扉４、真空断熱材５から構成されている。
【特許文献１】特開２０００−８２１７０号公報
【発明の開示】
【発明が解決しようとする課題】
【０００４】
しかしながら、前記従来の構成では、真空断熱材を断熱心材として各平面に対して１枚を埋設しているために真空断熱材の表面が破損すると真空度が各平面全体で低下し、断熱性能低下という問題があった。
【０００５】
本発明は、上記従来の課題を解決するもので、真空断熱材のみで断熱壁の厚みを小さくし、真空断熱材の表面が破損した場合にも断熱性能を維持できる自動販売機を提供することを目的とする。
【課題を解決するための手段】
【０００６】
前記従来の課題を解決するために、本発明の自動販売機は、断熱筐体、内扉、仕切り板の少なくとも一つを全体で複数個の真空断熱材のみで形成することで、断熱性能の向上ができる。
【発明の効果】
【０００７】
本発明の自動販売機は、断熱壁の厚みを小さくすることで商品を多く収納することができ、真空断熱材の表面が破損した場合にも断熱性能の維持ができ、消費電力量の低減すなわち省エネを行うことができる。
【発明を実施するための最良の形態】
【０００８】
請求項１に記載の発明は、断熱筐体、内扉、仕切り板の少なくとも一つを全体で複数個の真空断熱材のみで形成することにより真空断熱材の表面が破損した場合においても、断熱性能の維持ができる。
【０００９】
請求項２に記載の発明は、真空断熱材に取り付ける部品の取り付けをするための取り付け部材を設けることにより真空断熱材の保護ができる。
【００１０】
請求項３に記載の発明は、真空断熱材に取り付ける部品の取り付けをするための第一の断熱材を設けることにより、真空断熱材の保護と断熱材としての断熱性能を向上できる。
【００１１】
請求項４に記載の発明は、真空断熱材の表面を断熱性の高い第二の断熱材で覆うことにより、真空断熱材の保護と断熱材としての断熱性能を向上できる。
【００１２】
（実施の形態１）
図１は、本発明の実施の形態１による自動販売機のメインドアを開いた状態の斜視図である。
【００１３】
図１において断熱構造のキャビネット１で、このキャビネット１は前面が開放する箱状の断熱筐体２よりなり、このキャビネット１の前にメインドア６と内扉４が取り付けられている。またメインドア６の上部にはローディング扉７が取り付けられている。
【００１４】
一方キャビネット１内には仕切り板３が二枚互いに対向して設けられ、これら仕切り板３によりキャビネット１内が仕切り板３の相互間の加温室８と、一方の仕切り板３の左側の冷却室９と他方の仕切り板３の右側の冷却室１０との三室に仕切られている。
【００１５】
そしてこれら加温室８と冷却室９、１０内にそれぞれ例えばサーペンタイン形のコラム１０ａが設けられ、これらコラム１１内に所定の商品が収納されている。
【００１６】
加温室８のコラム内に収納された各商品は加温手段（図示せず）により保温され、冷却室９、１０のコラム内に収納された各商品は冷却手段により保冷される。
【００１７】
図２は、本発明の実施の形態１による自動販売機の断熱構造の分解斜視図である。
【００１８】
この自動販売機の断熱構造は、キャビネット背面全体に配置した複数枚の第一の真空断熱材１１と、キャビネット両側面全体に配置した複数枚の第二の真空断熱材１２と、キャビネット天面全体に配置した複数枚の第三の真空断熱材１３と、キャビネット底面全体に配置した複数枚の第四の真空断熱材１４と、内扉４の全体に配置した複数枚の第五の真空断熱材１５と、仕切り板３の全体に配置した複数枚の第六の真空断熱材１６から形成されている。
【００１９】
これら第一から第六の真空断熱材は、連続気泡型の硬質プラスチックフォームのスラブ材などとゼオライトなどのゲッタ材をナイロン、ＰＥＴ、アルミ箔、ポリエチレンなどを積層した少なくとも四層のドライラミネート材からなる被覆材に入れてシールし、その内部を０．０５Ｔｏｒｒ以下に減圧して封止したものであり、硬質プラスチックフォーム単体の断熱材に比べて熱伝導率が低く、高い断熱性能が得られる。
【００２０】
このように構成された自動販売機は、開閉自在の内扉４で塞がれ、その内部に設けた冷却装置（図示せず）と加温装置（図示せず）により、冷却室９、１０と加温室８は所定の温度で保存することができ、キャビネット１全体と内扉４全体に設けた複数枚の第一から第六の真空断熱材を設けて、断熱効果を向上することができる。
【００２１】
また、真空断熱材を複数枚設けることで、一部の真空断熱材が破損しても、断熱性能を維持することができる。
【００２２】
また、この真空断熱材を各々の厚み方向に設けることとしても一部の真空断熱材が破損した場合においても、断熱性能を維持することができる。
【００２３】
（実施の形態２）
図３は、本発明の実施の形態２による自動販売機の仕切り板の分解斜視図である。
【００２４】
図３において、取り付け部材１７は、複数枚の第六の真空断熱材１６の表面を保護するために取り付けられており、そこには、加温室８、冷却室９、１０内のハーネスを束ねて整理する部品等が取り付く。この取り付け部材は、箱状の鉄板もしくは樹脂材料とする。
【００２５】
このように構成された自動販売機は、開閉自在の内扉４で塞がれ、その内部に設けた冷却装置（図示せず）と加温装置（図示せず）により、冷却室９、１０と加温室８は所定の温度で保存することができ、取り付け部材１７を設けることにより取り付け部品を取り付けるビスによって真空断熱材を破損することを防止できる。
【００２６】
また、本実施の形態の取り付け部材１７を第一の真空断熱材１１、第二の真空断熱材１２、第三の真空断熱材１３、第四の真空断熱材１４、第五の真空断熱材１５にも適用し同様に真空断熱材の保護ができる。
【００２７】
（実施の形態３）
図４は、本発明の実施の形態３による自動販売機の仕切り板の斜視図である。
【００２８】
図４において、第一の断熱材１８は、硬質プラスチックフォームのスラブ材または硬質プラスチックフォームを注入して発泡形成した発泡樹脂であり、複数枚の第六の真空断熱材１６の上部と下部に取り付けられており、加温室８、冷却室９、１０内のハーネスを束ねて整理する部品等が取り付く。
【００２９】
このように構成された自動販売機は、開閉自在の内扉４で塞がれ、その内部に設けた冷却装置（図示せず）と加温装置（図示せず）により、冷却室９、１０と加温室８は所定の温度で保存することができ、第一の断熱材１８を設けることにより取り付け部品を取り付けるビスによって真空断熱材を破損することを防止できる。
【００３０】
また、本実施の形態の第一の断熱材１８を第一の真空断熱材１１、第二の真空断熱材１２、第三の真空断熱材１３、第四の真空断熱材１４、第五の真空断熱材１５にも適用し同様に真空断熱材の保護ができる。
【００３１】
（実施の形態４）
図５は、本発明の実施の形態４による自動販売機の仕切り板の斜視図である。
【００３２】
図５において、第二の断熱材１９は、気泡緩衝材であり、断熱性、緩衝材として優れており、第六の真空断熱材１６の表面全体を覆っている。
【００３３】
このように構成された自動販売機は、開閉自在の内扉４で塞がれ、その内部に設けた冷却装置（図示せず）と加温装置（図示せず）により、冷却室９、１０と加温室８は所定の温度で保存することができ、第二の断熱材１９を設けることにより真空断熱材の保護とさらに断熱性能を向上できる。
【００３４】
また、本実施の形態の第二の断熱材１９を第一の真空断熱材１１、第二の真空断熱材１２、第三の真空断熱材１３、第四の真空断熱材１４、第五の真空断熱材１５にも適用し同様に真空断熱材の保護と断熱性能の向上ができる。
【産業上の利用可能性】
【００３５】
以上のように、本発明にかかる自動販売機は、真空断熱材の表面が破損した場合にも断熱性能の維持ができ、消費電力量の低減すなわち省エネを行うことができるので、真空断熱材を採用する他の機器に幅広く適用することができる。
【図面の簡単な説明】
【００３６】
【図１】本発明の実施の形態１における自動販売機のメインドアを開いた状態の斜視図
【図２】本発明の実施の形態１における自動販売機の断熱構造の分解斜視図
【図３】本発明の実施の形態２における自動販売機の仕切り板の分解斜視図
【図４】本発明の実施の形態３における自動販売機の仕切り板の斜視図
【図５】本発明の実施の形態４における自動販売機の仕切り板の斜視図
【図６】従来の自動販売機の断熱構造の分解斜視図
【符号の説明】
【００３７】
２    断熱筐体
３    仕切り板
４    内扉
１１  第一の真空断熱材
１２  第二の真空断熱材
１３  第三の真空断熱材
１４  第四の真空断熱材
１５  第五の真空断熱材
１６  第六の真空断熱材
１７  取り付け部材
１８  第一の断熱材
１９  第二の断熱材
【図１】
2006268220.tif 000003
【図２】
2006268220.tif 000004
【図３】
2006268220.tif 000005
【図４】
2006268220.tif 000006
【図５】
2006268220.tif 000007
【図６】
2006268220.tif 000008